(57)【要約】【課題】携帯電話網の光伝送を用いた中継システムで、親局からの操作による任意の子局リセットを、個別にかつ子局動作を不安定化させることなく行えるようにする。【解決手段】フォトダイオード１０１の受信レベルｅを基準電圧ｅ０と比較器１０５で比較し、受信レベルｅがｅ０をこえて上昇したときの比較器１０５出力の立ち上がりをトリガとしてモノステート・マルチバイブレータ１０６からリセットパルスを出力する。親局からの光信号をオフ状態からオンにすると上記リセットパルスが出力され、子局の処理回路がリセットされた後すぐに正常動作状態となる。【選択図】        図１
2005051391.tif 000002
【特許請求の範囲】
【請求項１】
光信号を受信して電気信号に変換する光信号受信部と、この光信号受信部からの電気信号を処理する処理部と、この処理部からの信号を無線周波信号に変換して空間へ放射する無線部とを備えた光伝送装置において、
前記光信号受信部の光信号受信レベルが予め設定された閾値をこえて上昇したことを検出する立ち上がり検出手段と、この手段が前記上昇を検出したときにリセットパルスを出力して前記処理部をリセットするリセットパルス発生手段とを備えたことを特徴とする光伝送装置。
【請求項２】
光伝送装置の処理部をリセットするための光伝送装置のリセット方法であって、
受信した光信号のレベルが所定の閾値をこえて上昇したことを検出してリセットパルスを生成する機構を光伝送装置に設けると共に、当該光伝送装置への光信号の送信側で光信号出力をオフからオンとすることによって前記機構によりリセットパルスを発生させ、このリセットパルスによって当該光伝送装置の前記処理部をリセットすることを特徴とする光伝送装置のリセット方法。
【請求項３】
親局と、この親局と個々に光ケーブルを介して接続された複数の子局とからなる光伝送システムにおいて、
子局の各々を請求項１に記載の光伝送装置で構成し、親局からの任意の子局への光信号出力をオフからオンとすることによって当該子局の処理部をリセットできるように構成したことを特徴とする光伝送システム。
【発明の詳細な説明】
【０００１】
【発明の属する技術分野】
本発明は、光伝送装置とそのリセット方法、及び光伝送システムに係り、特に保守・運用要員が常駐しない場所に設置し運用するのに適した光伝送装置とそのリセット方法、及びその光伝送装置を用いた光伝送システムに関するものである。
【０００２】
【従来の技術】
携帯電話システムでは、地下やトンネル内などの基地局からの電波が届かない不感帯に対する対策として、不感帯内に複数の子局を配置し、更に複数の子局と光伝送路で接続された親局とからなる光伝送システムが用いられている。図４はそのような光伝送システムの概略を示すブロック図で、子局４１１、４１２、…４１ｎは地下街等の空間の各部分で携帯電話と交信できるように配置されていて、その各々が上り／下りの双方の光信号通路を持つ光ケーブル４２１、４２２、…４２ｎ及び給電線４０２により親局４０１と接続されている。親局４０１は無線基地局と無線回線経由で接続されており、無線基地局からの下り無線信号を受信して電光変換して各子局へ光ケーブル経由で送信し、各子局はこの光信号を光電変換して該当する携帯電話機へ送信する。この下り回線とは逆に、携帯電話機からの上り信号は子局で受信され電光変換されて光ケーブル経由で親局４０１へ送信され、親局４０１は各子局からの光信号をそれぞれ光電変換したのち合成して無線回線で無線基地局へ送信する。
【０００３】
上記のような光伝送システムでは、親局と子局とは通常数百ｍから数ｋｍ離れており、かつ子局は天井裏などの目立たない場所に設置されており、子局装置の設置場所へ出向いての保守・点検等を行うことは大きな負担になる。従って子局に何らかの不具合が発生したときには、子局を制御するマイコンの動作を親局側からの何らかのリモート操作によりリセットして子局動作の回復を試みる必要がある。
【０００４】
このような子局装置のリセットはシステム立ち上げ時にも必要であり、このために子局へ給電線４０２から給電が開始されたとき、電源の立ち上がりをトリガーとしてリセットパルスを生成し、制御用マイコンをリセットする機構が各子局に設けられている。図５は、このリセット回路の概略を示しており、給電線４０２からの電力は子局の電源回路５１で所定の電圧とされて子局内の各部へ供給され、この供給電圧が立ち上がるときにリセットパルス発生部５２がリセットパルスを発生する。そこで子局に不具合が発生したときもこのリセット機構を利用して、即ち親局４０１で一旦電源をオフした後オンとすることで、不具合発生時の子局リセットを行うことができる。
【０００５】
また、特許文献１には、子局への親局からの光信号入力が所定レベル以下になるとリセットパルスを発生する回路を設け、親局から子局への光信号をオフとすることによって当該子局のマイコンをリセットする技術が開示されている。
【０００６】
【特許文献１】
特開２０００−３５４００７
【０００７】
【発明が解決しようとする課題】
電源をオフした後にオンとすることにより子局装置のリセットを行う方法では、不具合の発生した子局のみのリセットができない。即ち通常は給電線４０２が複数の子局に対して共用されている部分があり、従って親局４０１側で電源をオフすると少なくとも複数の子局がリセットされてしまい、正常な子局経由の通信も中断されてしまう。これは子局毎に親局から給電線を個別に敷設すれば解決されるが、高コストを招きまた設置場所によっては給電線を何体も引くのが困難な場合もある。更に子局への給電を親局からの給電線で行うのではなく、他の商用電源等から給電するような場合にはこの方法は使えない。
【０００８】
一方、前記した特許文献１の方法によれば、上記した電源オフ／オンによるリセット方法の問題点はすべて解決される。しかしこの方法の場合、光信号の入力レベルが所定値以下の状態では常に制御用マイコンをリセットしている。このために親局側で光ケーブルを抜いていると当該子局のマイコンにはリセットがかかり続けるので、このマイコンにより制御されている各回路の動作が不確実となり、例えば当該子局がカバーしているエリア内に大きな雑音電力を送信してしまうなどの可能性がある。
【０００９】
本発明の目的は、電源のオフ／オンを行わなくてもリセットが可能で、かつリセットがかかり続けて動作を不安定化することのないようにした光伝送装置とそのリセット方法、及び光伝送システムを提供することにある。
【００１０】
【課題を解決するための手段】
本発明は、光信号を受信して電気信号に変換する光信号受信部と、この光信号受信部からの電気信号を処理する処理部と、この処理部からの信号を無線周波信号に変換して空間へ放射する無線部とを備えた光伝送装置において、
前記光信号受信部の光信号受信レベルが予め設定された閾値をこえて上昇したことを検出する立ち上がり検出手段と、この手段が前記上昇を検出したときにリセットパルスを出力して前記処理部をリセットするリセットパルス発生手段とを備えたことを特徴とする光伝送装置を開示する。
【００１１】
更に本発明は、光伝送装置の処理部をリセットするための光伝送装置のリセット方法であって、
受信した光信号のレベルが所定の閾値をこえて上昇したことを検出してリセットパルスを生成する機構を光伝送装置に設けると共に、当該光伝送装置への光信号の送信側で光信号出力をオフからオンとすることによって前記機構によりリセットパルスを発生させ、このリセットパルスによって当該光伝送装置の前記処理部をリセットすることを特徴とする光伝送装置のリセット方法を開示する。
【００１２】
更に本発明は、親局と、この親局と個々に光ケーブルを介して接続された複数の子局とからなる光伝送システムにおいて、
子局の各々を前記した光伝送装置で構成し、親局からの任意の子局への光信号出力をオフからオンとすることによって当該子局の処理部をリセットできるように構成したことを特徴とする光伝送システムを開示する。
【００１３】
【発明の実施の形態】
以下、本発明の実施の形態を説明する。図１は、本発明の光伝送装置の構成例を示す回路ブロック図で、リセットパルス生成部分のみを示している。この光伝送装置は図４の子局を構成するもので、光ケーブル経由で親局から送られてきた光信号はフォトダイオード１０１で電気信号に変換され、図示を省略した処理回路経由で無線信号へと変換され空間へ放射される。フォトダイオード１０１出力は抵抗器１０２、１０３で分圧されて比較器１０５で基準電圧発生器１０４からの基準電圧ｅ０と比較される。分圧された電圧ｅが基準電圧ｅ０より大であると比較器１０５出力がハイレベルとなり、この立ち上がりエッジをトリガーとしてモノステート・マルチバイブレータ１０６がローレベルのパルスを発生する。このパルスの幅Ｔは時定数回路１０７の時定数により決まる。一方、電源投入リセット部１０８は従来技術の図５で説明したもので、電源投入時にローレベルのパルスを発生する。ＡＮＤ素子１０９は、モノステート・マルチバイブレータ１０６出力と電源投入リセット部１０８出力とのいずれかがローレベルの時ローレベルを出力するので、どちらかからローレベルパルスが出力されている間はその出力がローレベルとなって、これにより図示省略したマイコンをリセットする。
【００１４】
図２は、図１のリセット回路の動作を示すタイミングチャートで、時刻ｔ１までは正常レベルの光信号が入力されているとする。このとき入力電圧ｅ、比較器１０５の出力ｃ、マルチバイブレータ１０６の出力ｍはともにハイレベルである。時刻ｔ１に親局側に光コネクタを抜くなどにより光送信が止められると入力電圧ｅはローレベルとなり、入力電圧ｅが基準電圧ｅ０以下となった後は比較器出力ｃもローレベルととなる（図２ではこの時点もｔ１として簡略化している）。
一方、マルチバイブレータ出力ｍはまだハイレベルを維持している。
【００１５】
時刻ｔ２に光信号の送信が抜いた光コネクタの再挿入などにより開始されると、入力電圧ｅが上昇し、これが基準電圧ｅ０をこえる時刻ｔ３に比較器出力ｃがローレベルからハイレベルへと立ち上がり、この立ち上がりエッジをトリガーとしてモノステート・マルチバイブレータの出力ｍがローレベルに変わり、時定数回路１０７により定まる時間Ｔの間ローレベルを維持する。このローレベルのパルスによって子局制御用マイコンがリセットされる。
【００１６】
以上に示した図１の回路によれば、子局制御用のマイコンは、当該子局への光信号を送信開始したタイミングでリセットされ、すぐにリセット信号は除去される。従って、電源オフ／オンによるリセット方法のような問題はなく、またリセットがかかり続けて子局動作が不安定になることもなく、光信号入力開始と同時にリセットされた状態から正常な動作へと移行することができる。
【００１７】
図３は、本発明になる光伝送装置の別の構成例を示す回路ブロック図で、やはりリセット回路部分のみを示している。この構成が図１のものと異なるのは、図１の比較器１０５が基準電圧発生器１０５とモノステート・マルチバイブレータ１０６及び時定数回路１０７に代わってＡ／Ｄ変換器３０１と制御回路３０２が用いられている点で、他の構成はその符号と共に図１と同じである。
【００１８】
図３の構成では、フォトダイオード１０１出力は抵抗器１０２、１０３で分圧されて電圧ｅとなり、これがＡ／Ｄ変換器３０１でディジタル化されて制御回路３０２へ入力される。制御回路３０２は入力電圧ｅを監視し、その値が上昇し、制御回路内に予め設定した値としての基準電圧ｅ０をこえたときに所定のパルスの幅Ｔをもつローレベルのパルスを出力する。このパルス出力中を除く時間帯ではハイレベルの値を出力している。このようにして図２で説明したのと同等な動作が実現でき、親局からの光信号入力により子局のリセットを行うことができる。
【００１９】
なお、図３の構成例において、制御回路３０２は上記の機能を持つ専用回路で構成すれば、子局制御用のマイコンの不具合がどんなときでもリセットをかけられる。もし制御回路３０２を子局制御用マイコンの中に組み込んだ場合には、例えばマイコンの高周波部制御プログラムが異常であるが他の機能は正常動作可能なときは当該マイコンのリセットが行える。しかし、マイコン動作が暴走してすべての処理が不可能になっているような時は当該マイコンのリセットも不可能となるから、やはり制御回路３０２はリセット対象である子局制御用マイコンとは独立な部材として構成することが好ましい。
【００２０】
【発明の効果】
本発明によれば、リセットしたい子局への親局からの光信号送出を光コネクタの抜きさしなどにより一時的に止めることで当該子局のリセットを行うことができ、かつリセット後に子局動作が不安定になることもない。従って、本発明のリセット方法を具備した光伝送装置を子局に用いて光伝送システムを構成すれば、システムの安定化、保守作業の効率化の利点がある。
【図面の簡単な説明】
【図１】本発明の光伝送装置の構成例を示す回路ブロック図である。
【図２】図１の光伝送装置におけるリセット動作を示すタイミングチャートである。
【図３】本発明の光伝送装置の別の構成例を示す回路ブロック図である。
【図４】光伝送システムの構成例である。
【図５】電源投入リセット回路の概略構成である。
【符号の説明】
１０１  フォトダイオード
１０４  基準電圧発生器
１０５  比較器
１０６  モノステート・マルチバイブレータ
３０１  Ａ／Ｄ変換器
３０２  制御回路
４０１  親局
４１１〜４１ｎ  子局
４２１〜４２ｎ  光ケーブル
【図１】
2005051391.tif 000003
【図２】
2005051391.tif 000004
【図３】
2005051391.tif 000005
【図４】
2005051391.tif 000006
【図５】
2005051391.tif 000007